(57)【要約】本発明は、少なくとも１つのピボットハンドル（２）を備えており、容器の壁（３）に対して放射状の持ち位置から、非放射状の停止位置へ、及び、その逆方向への旋回が可能な、台所用容器（１）に関する。前記台所用容器は、前記少なくとも１つのピボットハンドル（２）は、前記容器の壁（３）上に固定された基部（５）と、前記持ち位置と前記停止位置との間で旋回できるよう前記基部（５）に取り付けられたハンドル（６）と、展開位置でハンドル（６）をロックするように設計され、前記基部（５）上に移動可能に取り付けられ、ユーザーによって作動させることができる制御部（８）の制御下にあるロック手段（７）とを備えていることを特徴とする台所用容器前記ハンドル（６）をロックするロック手段（７）とを備え、前記ロック手段は、基部（５）上に、取り外し可能に取り付けられているおり、ユーザーによって作動する制御部材（８）で制御されることを特徴とする。
2009520540.tif 000002
【特許請求の範囲】
【請求項１】
旋回可能に取り付けられた少なくとも１つのハンドル手段（２）を備えており、前記ハンドル手段は、容器の壁（３）に対してほぼ放射状に延びる展開位置から、ほぼ非放射状に延びる停止位置へ、及び、その逆方向へ旋回するのに適した台所用容器（１）であって、
前記台所用容器は、前記旋回可能に取り付けられた少なくとも１つのハンドル手段（２）が、前記容器の壁（３）に固定された基部（５）と、展開位置と停止位置との間で旋回するように基部（５）上に取り付けられたハンドル（６）と、展開位置でハンドル（６）をロックするように設計され、前記基部（５）上に移動可能に取り付けられ、ユーザーによって作動させることができる制御部（８）の制御下にあるロック手段（７）とを備えていることを特徴とする台所用容器。
【請求項２】
請求項１記載の容器において、
前記基部（５）は、前記ハンドル（６）が相対する旋回方向で定位置にロックされるようロック手段（７）によって適切な状態でロックされている間は、前記ハンドル（６）が展開位置で固定されるアバットメント（２１）を備えていることを特徴とする容器。
【請求項３】
請求項１又は２記載の容器において、
前記ハンドル手段（２）には、前記ハンドル（６）が前記基部（５）上で旋回する際に前記ハンドル（６）をガイドするピボットガイド手段が設けられていることを特徴とする容器。
【請求項４】
請求項３記載の容器において、
前記ガイド手段は、前記ハンドル（６）上に設けられた湾曲スライダー部を備えており、前記スライダー部は、前記基部（５）上に設けられた相補的な湾曲の湾曲スライドパス（５Ａ）と連結していることを特徴とする容器。
【請求項５】
請求項１〜４のいずれか１つに記載の容器において、
前記ロック手段（７）は、前記基部（５）内を弾性的に移動するように取り付けられていることを特徴とする容器。
【請求項６】
請求項１〜５のいずれか１つに記載の容器において、
前記ロック手段（７）は、前記基部（５）に設けられたスロット（２２）内で自由にスライドするよう取り付けられたベアリング板で構成され、前記ハンドル（６）は、適切な状態でロックされるように前記ベアリング板上に装着されていることを特徴とする容器。
【請求項７】
請求項１〜６のいずれか１つに記載の容器において、
前記制御手段（８）は、前記基部（５）上に取り付けられており、前記基部（５）上を移動する際にガイドされるボタン（８Ａ）によって構成され、ロック手段（７）に接続した少なくとも１つの制御脚（２５）を備えていることを特徴とする容器。
【請求項８】
請求項６及び７記載の容器において、
前記ボタン（８Ａ）は、前記基部（５）上を平行移動するよう取り付けられており、平行移動するために、前記基部（５）を突き抜け、前記ベアリング板に接合する２つの脚（２５）を有していることを特徴とする容器。
【請求項９】
請求項１〜６のいずれか１つに記載の容器において、
前記制御手段（８）は、前記ロック手段（７）のユーザーの手が届く部分（８Ｂ）によって構成されていることを特徴とする容器。
【請求項１０】
請求項１〜９のいずれか１つに記載の容器において、
前記ハンドル手段（２）は、前記停止位置で、前記ハンドル（６）が前記容器（１）の基部に向かって、つまり、前記容器の底に向かって延びるように設計されていることを特徴とする容器。
【請求項１１】
請求項２〜１０のいずれか１つに記載の容器において、
前記アバットメント（２１）は、前記ロック手段（７）の上方に位置することを特徴とする容器。
【請求項１２】
請求項１〜９のいずれか１つに記載の容器において、
前記ハンドル手段（２）は、展開位置で、前記ハンドル（６）は上向き、つまり、前記容器の開口に向かって延びるように設計されていることを特徴とする容器。
【請求項１３】
請求項２及び１２記載の容器において、
前記アバットメント（２１）は、前記ロック手段（７）の下方に位置することを特徴とする容器。
【請求項１４】
請求項１〜１３のいずれか１つに記載の容器において、
前記ハンドル手段（２）は、単一の構成部材として形成されていることを特徴とする容器。
【請求項１５】
請求項１〜１４のいずれか１つに記載の容器において、
緩み除去システムを備えていることを特徴とする容器。
【請求項１６】
請求項１５記載の容器において、
前記緩み除去システムは、前記ロック手段（７）上に設けた傾斜（５）によって構成されていることを特徴とする容器。
【請求項１７】
請求項１〜１６のいずれか１つに記載の容器において、
圧力調理器又は揚げ物器によって構成されていることを特徴とする容器。
【発明の詳細な説明】
【技術分野】
【０００１】
本発明は、食品の準備又は調理に使用するあらゆるタイプの台所用容器の一般的な技術分野に関する。例えば、旋回可能に取り付けられた少なくとも１つのハンドル手段を備えた容器であって、ハンドル手段が、容器の壁からほぼ放射状に延びる展開位置から、ほぼ非放射状に延びる休止位置に、及び、その逆方向に位置することに適した容器に関する。
【０００２】
本発明は、圧力調理器、揚げ物器等の台所用容器、例えば、より一般的には、食品の様々な準備方法に役立つ容器に関する。前記の容器には、旋回可能に取り付けられた、ハンドルが容器の壁に対してほぼ放射状に延びる展開位置から、ハンドルがほぼ非放射状に延びる休止位置へ、又は、その逆方向に旋回するのに適した、少なくとも１つのハンドル手段が備えられている。
【背景技術】
【０００３】
ハンドルが容器の壁に対してほぼ放射状に延びる展開位置と、ハンドルが非放射状の位置、例えば、一般的には、ハンドルが容器の壁に対してほぼ平行に延びる位置にある停止位置のいずれかの位置を取るように容器の壁に沿って旋回するのに適したハンドルを、台所用容器、特に、シチュー鍋、ソースパン、圧力調理器等に備えることができることは既に公知である。
【０００４】
このような装置は、「ピボットハンドル」又は「旋回可能に取り付けられたハンドル」と称することができる。これらの装置は、容器を使用していないときには、容器をよりコンパクトにすることができるため、容器の収納がしやすくなり、また、そのようなタイプの調理器具を収納するための収納場所での、スペースの節約にもつながる。
【０００５】
例えば、米国特許第３６８３４５２号明細書には、台所用容器に旋回可能に取り付けられたハンドルについて記載している。その装置は、容器の壁に固定された基部に、スタッドを介して、旋回可能に取り付けられたハンドルで構成されており、ハンドルが展開位置にあるときは、容器の縁部下方のアバットメントに装着し、また、容器の縁部と連結して、ハンドルを容器にはめ込むことのできるウェッジ部を備えている。このような装置は、既に、ユーザーにとって大きな利点をもたらしており、特に簡単である。しかし、このような装置は、ハンドルが展開位置でロックされていないと不安定で、危険である。そのため、ハンドルが展開位置にあるとき、つまり、ハンドルが容器の壁に対してほぼ放射状に延びる状態のときに、ユーザーが偶発的な操作をしたり、ユーザーが容器の内容物を注ごうとした場合に、ユーザー及び周囲に危険なハンドルの一部又は全部を停止位置に折りたたんで仕舞うことができるようになっている。
【０００６】
さらに最近の装置では、展開位置でハンドルをロックすることを可能にする複合制御システムを実施するものが知られている。一般的に、そのような装置は、旋回可能に取り付けられたハンドルの内側に設けた、ユーザーによって作動される制御素子を備えており、この制御素子は、ハンドルの装着・取り外しによって、ハンドルの展開位置から停止位置へ、及び、その逆方向への旋回を可能にするものである。
【発明の開示】
【発明が解決しようとする課題】
【０００７】
このような装置は、ユーザーにとって使い心地がよく、かつ、安全面にも優れていることは間違いないが、いくつかの欠点もある。特に、第１にあげられる欠点は、その複雑さのため起こるもので、相互に関わり合って移動する多数の構成部材を実装することによって起こる。これによって、製造及び組立て作業が複雑化すると共に、それらの装置の総コストも増加してしまう。加えて、このような装置は、可動部分が多いため壊れやすく、開かなくなったり、操作時に突然壊れてしまったりするため、全く安全であるとは言いがたいことが多い。
【０００８】
したがって、本発明の目的は、従来の装置の欠点を改善することと、展開位置で特に安定するとともに、可能な限り低コストで、製造、容器への取り付け、及び制御が容易にできる、旋回可能に取り付けられた新規のハンドル手段を備えている台所用容器を提案することにある。
【０００９】
本発明の目的は、さらに、構成部材を、特に容易に、スムーズに、相互に関わり合いながら移動及び旋回させることを可能にする、新規の旋回可能に取り付けられたハンドル手段を備えている新規の台所用容器を提案することにある。
【００１０】
本発明の目的は、さらに、特に安全な方法で、ハンドルを自動的にロックすることを可能にする、新規の旋回可能に取り付けられたハンドル手段を備えている新規の台所用容器を提案することにある。
【００１１】
本発明の目的は、さらに、ユーザーが特に容易に制御できる、新規の旋回可能に取り付けられたハンドル手段を備えている新規の台所用容器を提案することにある。
【課題を解決するための手段】
【００１２】
上記本発明の目的は、旋回可能に取り付けられた少なくとも１つのハンドル手段を備えており、前記ハンドル手段は、容器の壁に対してほぼ放射状に延びる展開位置から、ほぼ非放射状に延びる停止位置へ、及び、その逆方向へ旋回するのに適した台所用容器であって、前記台所用容器は、前記旋回可能に取り付けられた少なくとも１つのハンドル手段が、前記容器の壁に固定された基部と、展開位置と停止位置との間で旋回するように基部上に取り付けられたハンドルと、展開位置でハンドルをロックするように設計され、前記基部上に移動可能に取り付けられ、ユーザーによって作動させることができる制御部の制御下にあるロック手段とを備えていることを特徴とする台所用容器によって達成される。
【発明を実施するための最良の形態】
【００１３】
本発明の他の特徴及び効果は、発明を限定することのない例を示すために添付した図面を参照し以下の記載を読むと、より詳細まで明らかとなる。
【００１４】
図１は、容器の壁３に旋回可能に取り付けられ、ハンドル６を有する少なくとも１つのハンドル手段２を備えた台所用容器１を示す。この説明図に示す例において、調理用容器１は、容器の壁３上に直径方向に向き合って取り付けられた２つのハンドル手段２を備えている。このような構成は、単なる例示した１つの例であって、本発明は、旋回可能に取り付けられたハンドル手段を１つ又は複数備えることが可能な台所用容器に関する。なお、複数とは、旋回可能なハンドル手段の数を２つに限定するものではない。
【００１５】
以下の記載では、本特許明細書の図１から図７に示す台所用容器に基づいて、金属材料からなり、従来のいずれかのタイプのロック装置、例えば、噛み合い部やバイヨネット式手段を備えた蓋（図示せず）を受けるように設計された圧力調理器によって構成した台所用容器を参照する。ここでの圧力調理器によって構成した台所用容器の参照は、単に例示目的であって、本発明は、台所用容器が設計された用途や材料とは別に、あらゆるタイプの台所用容器に応用することや、関連させることができる。このような台所用容器は、特定の用途に限定されるものではなく、例えば、圧力調理器や、揚げ物器、シチュー鍋、フライパン、ソースパン、食品準備容器等を組合わせたタイプであってもよく、別のタイプであってもよい。
【００１６】
したがって、本発明は、一般的に、少なくとも１つのハンドル手段２を備えた台所用容器１に関し、特に、旋回可能に取り付けられ、容器の壁３に対してほぼ放射状（直径方向）に延びる展開位置（例えば、図２、図３、図５）から、ハンドル手段２がほぼ非放射状に若しくは壁３とほぼ平行に延びる停止位置まで、又は、停止位置（図４）に向かって、旋回するのに適した、ハンドル手段２が有するハンドル６に関する。展開位置では、ハンドル手段２はロックされ、停止位置に旋回することができ、その逆方向にも旋回することができる。
【００１７】
例えば、図２から図４に示すように、本発明の旋回可能に取り付けられたハンドル手段２は、容器の壁３に固定された基部５と、上記で定めた展開位置と停止位置との間で旋回するように基部５上に取り付けられたハンドル６と、展開位置でハンドル６をロックするように設計され、基部５上に取り付けられ、ユーザーによって作動させることができる制御部８の制御下にあるロック手段７とを備えている。
【００１８】
言い換えると、ロック手段７は、基部５に対して移動可能となるよう基部５上に取り付けられている。つまり、ロック手段７は、基部に組み込まれており、基部５に対してある程度の可動性を持つ。
【００１９】
さらに、制御部８は、ロック手段７のように、基部上に取り付けることが好ましく、これにより、ユーザーが制御部８の作動を楽に行うことができるようになるとともに、偶発的な操作の危険性が減り、全体的な強度が増し、組立て作業が容易になる。
【００２０】
本発明によると、基部５は、金属又はプラスチック材料からなるほぼ円錐形の部分とすることもでき、壁３に固定するための手段を受け、そのような締め具を取り付けられるよう、例えば、１つ以上の凹部９、９Ａを備え、外側、又は、内側に向かって自由に開口してもよい。図３に示すように、基部５は、例えば、壁３にモールド固定されたブラケット１１を介して壁に固定するのが効果的である。基部５は、凹部９Ａの１つを介して、ブラケット１１上に取り付けられており、スクリュー１２のような締め具を介して、恒久的に固定されている。これによって、旋回可能に取り付けられたハンドル手段２を、特に、簡単で容易な、強固な取り付け方法で取り付けることができる。
【００２１】
この第１の実施形態において、使用する固定手段は、結果的に、壁３に恒久的に固定された、旋回可能に取り付けられたハンドル手段２である。しかし、本発明の意味する範囲において、「旋回可能に取り付けられたハンドル手段」とは、恒久的に固定された、つまり、ユーザーによって容易に取り外すことのできない、旋回可能に取り付けられたハンドル手段２と、ユーザーによって、極めて容易に、すばやく取り外すことができる、取り外し可能な旋回可能に取り付けられたハンドル手段との両方を意味するよう、壁３に恒久的に固定されておらず、すばやく取り外すことができる可能性をもって固定された、旋回可能に取り付けられたハンドル手段２を実施することを想定することができる。
【００２２】
ハンドル６は、手持ち可能な中央ゾーン１５とそれぞれの端部１８Ａ、１８Ｂがリンクバー１９によって連結されている２つの側方分岐部１６Ａ、１６Ｂとを備えた、Ｕ字型のハンドル（例えば、図７参照）の形状である。ハンドル６は、端部１８Ａ、１８Ｂに設けられたスタッド２０を介して、基部５に旋回可能に取り付けられている。
【００２３】
図２、図３、図７に示すように、別の発明を構成できる特徴、つまり、ロック手段７があるかないかに関わらず、ハンドル手段２には、ハンドル６が基部５上で旋回する際にハンドル６をガイドするピボットガイド手段が設けられている。
【００２４】
このガイド手段は、ハンドル６上に設けられた湾曲スライダー部を備えていると効果的である。スライダー部は相補的に湾曲の湾曲スライドパス５Ａと連結しており、スライドパス５Ａは基部５上に設けられている。
【００２５】
この組立て構造によって、上記の各部材がうまくガイドされるよう誘導することができ、これによって、組立ての高い構造安定性と安全性が得られる。
【００２６】
スタッド２０のベアリング面とは別のピボットガイド手段を加えることで、ハンドル６と基部５との間に付加的な接触領域を設けることができる。この接触領域は、付加的なベアリング面を形成し、それによって、ピボット接合において緩みを制限し、基部５に対してハンドル６を倒しやすくする。
【００２７】
基部５は、図２、図３、図７に示す実施形態において、基部５の最上部に位置するアバットメント２１を備えていると効果的である。ハンドル６は、展開位置で、アバットメント２１に対して固定され、２つの相対するハンドル６の旋回方向に、そのままの位置でロックされるようロック手段７によって適切な状態でロックされる。
【００２８】
図２に示すように、アバットメント２１は、基部５内に設けられた縦長の溝の形状をとり、リンクバー１９の端面と端部がアバットメントに装着される構造になっている。この特徴によって、展開位置は特に安定し、安全となる。
【００２９】
この第１の実施形態において、ロック手段７は、基部５の内側を弾性的に移動するように取り付けられている。図２、図３、図４、図７に示すように、ロック手段７は、スロット２２内で、壁３に対してほぼ垂直に自由にスライドするよう取り付けられ、かつ、基部５内に設けられたベアリング板で構成されている。ハンドル６は、リンクバー１９の下端面又は底縁を介してアバットメントに装着され、展開位置でベアリング板の上又はベアリング板に対してロックされると効果的である。これにより、展開位置では、ハンドル６は、スタッド２０の軸周りに旋回可能な二方向に、つまり、この例におけるベアリング板によって形成されるアバットメント２１による第１の方向と、ロック手段７による逆のもう一方の方向とにロックされる。
【００３０】
図１〜図４及び図７に示す第１の実施形態において、制御手段８は、ロック手段７とは異なる部分からなる。制御手段８は、基部５上で可動できるようガイドされ、基部５、又は、基部５の最上部に取り付けられ、ロック手段７に接続された少なくとも１つの制御脚部２５（図７）を備えたボタン８Ａによって構成されていると効果的である。
【００３１】
図７に示すように、ボタン８Ａが、脚部２５がベアリング板７と係合するオリフィス２８を介して平行に移動できるようにするため、ボタン８Ａを、基部５上に、Ｆ１−Ｆ２方向に平行移動できるように取り付け、さらに、基部５を突き抜けてベアリング板７に係合するよう、ほぼ平行に設けられた２つの脚部２５を有するように構成すると効果的である。
【００３２】
図３に示すように、ベアリング板７は、スロット２２の内側を弾性的に移動するように、ベアリング板７にＦ２方向に恒久的にバイアスをかける圧縮ばねを介して取り付けられていると効果的である。
【００３３】
このように、ハンドルが停止位置（又は低位置）（図４）にある場合は、ベアリング板７はスロット２２に完全に係合し、リンクバー１９がスロット２２の開口をふさぐと同時に、ボタン８が壁３側に位置することとなる。その展開位置（図３）に達するようにするためには、矢印Ｆ２に示すように、ベアリング板７は、リンクバー１９を支持してロックするロック位置に平行移動する。ボタン８の動きはベアリング板７の動きと連動するため、壁３よりもさらに離れた第２の位置を取るように、ボタン８も、同じくＦ２方向に平行移動する。
【００３４】
本実施形態において、ユーザーは、図３の展開位置から、ボタン８をＦ１方向に押すことで、壁３に向かってボタン８を動かす。矢印Ｆ１で示す方向に動くことで、ボタン８は、脚部２５を介して、ロック手段７、つまり、ベアリング板をＦ１方向に、ばね２８による反動力に逆らうように、凹部２２の内側で、ロック手段がリンクバー１９の底部を開放するまで駆動する。これによって、ハンドル６を、図４に示す最終停止位置に達するまで自由に旋回させることができる。
【００３５】
本実施形態では、ハンドル手段６は、停止位置において、ハンドル６が容器の底、つまり、容器の底３Ａに向かって延びるよう設計されている。図１から図４に示す例では、アバットメント２１は、ロック手段７の上方に位置している。
【００３６】
図５、図６に示す実施形態においては、ハンドル手段６は、停止位置（図６）において、ほぼ放射状の展開位置から、ハンドル手段６が上向きに、容器の開口に向かって延びるように設計されている。
【００３７】
この第２の実施形態は、図１から図４に示す実施形態とは、アバットメント２１の位置のみが異なる。アバットメント２１は、ロック手段７の上方ではなく、図５に示すように、基部５の上のロック手段７の下方に位置する。したがって、アバットメント２１は、基部５の底部に設けられる。リンクバー１９の底部は、ハンドル６がほぼ放射位置にある場合、つまり、壁３に対してほぼ垂直な位置にある場合に、アバットメント２１に装着される。この位置では、図５に示すように、ロック手段７には、ばね２８によってＦ２方向にバイアスがかかっているため、展開位置でハンドル６が完全にロックされるよう、ロック手段７がリンクバー１９の上端を押すような位置にくるような形状・大きさにリンクバー１９を形成している。
【００３８】
第１の実施形態と同様に、制御手段８をＦ１方向に押すことによるユーザーの動作で、ロック手段７は同じくＦ１方向に動き、それにより、ロック手段７が開放され、スロット２２に完全に待避させて、図６に示すように、ユーザーがハンドル６を停止位置に対応する高い位置まで持ち上げられるようにできる。
【００３９】
とりわけ簡単な他の実施形態（図８）においては、ロック手段７とは独立した、異なるボタン８Ａではなくて、むしろロック手段７自体で行う、ロック手段７の動きを制御するための一般的な制御機能（制御手段８）を設けることによって、図１から図７に示す実施例のいずれかを実施することができる。
【００４０】
このようにすると、ロック手段７は、ロック手段の機能と制御手段の機能の２つの機能を行うことができる。この実施形態では、旋回可能に取り付けられたハンドル６が展開位置にある図８において単に図式的に示すように、図１から図７に示すボタン８Ａは省略されており、ユーザーは、例えば、この目的のために、端部に設けられた適切なゾーン又は特定の部分８Ｂ上のロック手段７を直接操作することによって、ロック手段７を平行移動させることができる。
【００４１】
特に効果的な変型例として、図２Ａに示すように、ハンドル手段２に、緩みを除去するシステムを設けることが可能である。これによって、ハンドル手段２には、あらゆる状況でロックが安全で正確であることを補償する緩み除去システムが設けられることになる。緩み除去システムは、特に、リンクバー１９の下端部において、ハンドル６と接触して支持するよう設計されたロック手段７上、好ましくは、ベアリング板７の端部に設けた傾斜５０で構成すると効果的である。ベアリング板の幅全体を覆うようにハンドル６に向かって延びる傾斜５０は、構成部材間のあらゆる寸法の差を調整することを可能にし、安全なロックを実現する。
【００４２】
本発明の緩み除去システム、つまり、ハンドル手段２の構成部材間に生じるあらゆる緩みを補償するのに適した移動ウェッジを実現するシステムは、特に、ハンドル手段が展開時にある場合に、上記のタイプに相当するあらゆるタイプのハンドル手段２に適用するのに適している。特に、たとえロック手段７が基部５上でなく、ハンドル６上に取り付けられている場合でも、緩み除去システムをロック手段７に組み込むことが考えられる。
【００４３】
したがって、本発明の装置は、展開位置、停止位置の両方で、安定した、旋回可能に取り付けられたハンドルを得ることを可能にする。また、特に、容器を持ち運びする際に、組立てに対して高い強度と安全性を得ることができる。
【００４４】
本発明、特に、効果的な実施形態によると、ハンドル手段２は、単一の部分として設けることもできる。つまり、全ての要素を事前に組み立てた一体化された単一の構成部材として構成できる。これにより、ハンドル手段２を容器上に取り付けることが特に容易になる。そのような場合は、ハンドル６、及び、基部５と、制御手段を含むその構成部材を、ブラケット１１に、例えば、ねじ固定することで、直接取り付けることができる。
【００４５】
部材の形状と位置、特に、制御部材とロック部材の形状と位置を鑑みると、この機能は人間工学的でもあり、ハンドル手段の使用に伴う動作は、ユーザーにわかりやすくて憶えやすい。
【００４６】
ロック機能は、特に強く、その構造安定性と、また、完全ロック機能が保証されていることより、極めて安全であると考えられる。この安全性は、特に、容器を傾けたときに発揮される。
【産業上の利用可能性】
【００４７】
本発明は、食品の準備又は調理用に設計された台所用容器のデザイン、製造、及び使用に関して、工業的に適用可能である。
【図面の簡単な説明】
【００４８】
【図１】図１は、ハンドル手段が停止位置にある本発明の台所用容器の斜視図である。
【図２】図２は、本発明の第１の実施形態に対応する、展開位置の旋回可能に取り付けられたハンドルを示す部分斜視図であり、一部が側断面図の部分図である。
【図２Ａ】図２Ａは、実施の詳細を示す図２の部分拡大図である。
【図３】図３は、本発明の第１の実施形態に対応する、展開位置の旋回可能に取り付けられたハンドル手段の断面図である。
【図４】図４は、停止位置にある図３のハンドル手段の断面図である。
【図５】図５は、本発明の第２の実施形態に対応する、展開位置の旋回可能に取り付けられたハンドル手段の断面図である。
【図６】図６は、本発明の第２の実施形態に対応する、図５のハンドルを示す部分斜視図である。
【図７】図７は、本発明の旋回可能に取り付けられたハンドル手段の第１の実施形態の実施の詳細を示す部分斜視図である。
【図８】図８は、ロック手段と制御手段が一体化された部材である本発明の変型例を示す斜視図である。
【図１】
2009520540.tif 000003
【図２】
2009520540.tif 000004
【図２Ａ】
2009520540.tif 000005
【図３】
2009520540.tif 000006
【図４】
2009520540.tif 000007
【図５】
2009520540.tif 000008
【図６】
2009520540.tif 000009
【図７】
2009520540.tif 000010
【図８】
2009520540.tif 000011
【国際調査報告】
2009520540.tif 000012
2009520540.tif 000013
2009520540.tif 000014
2009520540.tif 000015
2009520540.tif 000016
2009520540.tif 000017